(57)【特許請求の範囲】
【請求項１】
画像データを入力する画像入力手段と、
前記画像データを縮小したサムネイル画像を表示し、サムネイル画像を利用者に選択させるサムネイル表示手段と、
選択された前記サムネイル画像に対応する前記画像データを印刷する印刷手段と、
前記画像データの印刷枚数に応じた料金を課金する課金手段と、
を具備する画像出力装置であって、
前記サムネイル表示手段は、さらに、所定の選択枚数ごとに、サムネイル画像としてクジの画像を選択可能に表示させるクジ表示手段を有し、
前記印刷手段は、前記クジ表示手段により表示された前記クジの画像が選択された場合に、前記クジの当選結果を含むクジ画像データを印刷するクジ印刷手段を有することを特徴とする画像出力装置。
【請求項２】
前記クジ表示手段は、前記サムネイル画像として表示された前記クジの画像が選択された場合に、利用者に前記クジを引かせるように表示し、引いた前記クジの当選結果を表示することを特徴とする請求項１に記載の画像出力装置。
【請求項３】
前記クジの画像を表示させる選択枚数、前記クジの当選確率、および、前記クジ画像データを設定させるクジ設定手段をさらに有することを特徴とする請求項１又は請求項２に記載の画像出力装置。
【請求項４】
前記クジ画像データは、割引クーポン券であり、
前記クジ設定手段は、割引する商品名、割引率、前記割引クーポン券の使用期限を入力させることにより、前記割引クーポン券の前記クジ画像データを作成することを特徴とする請求項３に記載の画像出力装置。
【請求項５】
前記課金手段は、前記クジの当選結果に応じて、前記印刷枚数に応じた料金を割引くことを特徴とする請求項１乃至請求項４のいずれか1項に記載の画像出力装置。
【請求項６】
画像出力装置とサーバがネットワークを介して接続された画像出力システムであって、
前記画像出力装置は、
画像データを入力する画像入力手段と、
前記画像データを縮小したサムネイル画像を表示し、サムネイル画像を利用者に選択させるサムネイル表示手段と、
所定の選択枚数ごとに、前記サムネイル画像としてクジの画像を選択可能に表示させるクジ表示手段と、
選択された前記サムネイル画像に対応する前記画像データを印刷する印刷手段と、
前記クジ表示手段により表示された前記クジの画像が選択された場合に、前記クジの当選結果を含むクジ画像データを印刷するクジ印刷手段と、
前記クジの画像を表示させる前記選択枚数、および、前記クジの当選確率を設定させるとともに、前記クジ画像データを作成するクジ設定手段を有し、
前記サーバは、
前記クジ画像データに使用する前記画像データを保持し、前記クジ設定手段により前記クジ画像データを作成する際に、前記ネットワークを介して前記画像データを前記画像出力装置に送るクジ画像データ送信手段を有することを特徴とする画像出力システム。
【請求項７】
コンピュータを、請求項１乃至請求項５のいずれか1項に記載の画像出力装置として機能させるためのプログラム。
【請求項８】
コンピュータを請求項１乃至請求項５のいずれか1項に記載の画像出力装置として機能させるためのプログラムを記録したコンピュータで読み取り可能な記録媒体。
【発明の詳細な説明】
【技術分野】
【０００１】
本発明は、デジタル写真を印刷する画像出力装置等に関し、更に詳しくは、サムネイル一覧表示にクジを組み込んだエンターテインメント性を有する画像出力装置等に関する。
【背景技術】
【０００２】
近年、利用者が持ち込んだ記録媒体に記録されているデジタルカメラの画像データをプリントすることができる比較的小規模の画像出力装置（画像プリントシステム）が実用化されている。
また、多くの商店では、買い物額に応じたポイントや、割引クーポン券、景品、くじ引き等を顧客に提供して、顧客の満足度の向上やリピート客の増加を図っている。
【０００３】
画像出力装置においては、写真プリントの印画紙の裏側にくじ引きや占い、割引券、広告等を印刷する写真自販機（特許文献１）、ポイント等の顧客管理機能やポイントに応じて割引等のサービスを提供する写真自販機（特許文献２）、おまけ画像をプリントする写真自販機（特許文献３）等が提案されている。
【先行技術文献】
【特許文献】
【０００４】
【特許文献１】特開２００２−２４５５４５号公報
【特許文献２】特開２００５−２０８８７０号公報
【特許文献３】特開２００５−２２９３５５号公報
【発明の概要】
【発明が解決しようとする課題】
【０００５】
しかしながら、特許文献１の写真自販機は、印画紙の裏側や印画シールの剥離シートに予めくじ引きや、割引券、広告等を印刷しておくものであり、自販機の設置者等が、それらの当選確率を容易に設定、変更することができないという問題がある。
【０００６】
また、特許文献２の写真自販機は、ポイント等を顧客ごとに管理する顧客管理を行う必要があり、システムが大規模になるという問題がある。
さらに、特許文献３の写真自販機は、おまけ画像を小さく印画可能であるが、おまけの画像は、その場で撮影された複数の画像のうちの一部に限定され、おまけとしてのアピール度が低いという問題がある。
【０００７】
本発明は、上記の問題を鑑みてなされたものであり、その目的は、選択枚数に応じてサムネイル表示にクジを組み込む、エンターテインメント性の高い画像出力装置等を提供することである。
【課題を解決するための手段】
【０００８】
前述した目的を達するために第１の発明は、画像データを入力する画像入力手段と、前記画像データを縮小したサムネイル画像を表示し、サムネイル画像を利用者に選択させるサムネイル表示手段と、選択された前記サムネイル画像に対応する前記画像データを印刷する印刷手段と、前記画像データの印刷枚数に応じた料金を課金する課金手段と、を具備する画像出力装置であって、前記サムネイル表示手段は、さらに、所定の選択枚数ごとに、前記サムネイル画像としてクジの画像を選択可能に表示させるクジ表示手段を有し、前記印刷手段は、前記クジ表示手段により表示された前記クジの画像が選択された場合に、前記クジの当選結果を含むクジ画像データを印刷するクジ印刷手段を有することを特徴とする画像出力装置である。
【０００９】
第１の発明により、利用者による所定の選択枚数ごとに、サムネイル画像としてクジを表示し、利用者がそのクジを選択した場合にクジが引け、当選結果に応じたクジ画像データを印刷することが可能になる。
【００１０】
前記クジ表示手段は、前記サムネイル画像として表示された前記クジの画像が選択された場合に、利用者に前記クジを引かせるように表示し、引いた前記クジの当選結果を表示するようにしてもよい。
これにより、利用者へのエンターテインメント性をさらに向上することができる。
【００１１】
また、前記クジの画像を表示させる選択枚数、前記クジの当選確率、および、前記クジ画像データを設定させるクジ設定手段をさらに有することが望ましい。
また、前記クジ画像データは、割引クーポン券であり、前記クジ設定手段は、割引する商品名、割引率、前記割引クーポン券の使用期限を入力させることにより、前記割引クーポン券の前記クジ画像データを作成するようにしてもよい。これにより、画像出力装置の設置者が、クジを表示する条件や、当選確率、クジ画像データを設定、作成することが可能になる。
【００１２】
また、前記課金手段は、前記クジの当選結果に応じて、前記印刷枚数に応じた料金を割引くようにしてもよい。
【００１３】
第２の発明は、画像出力装置とサーバがネットワークを介して接続された画像出力システムであって、前記画像出力装置は、画像データを入力する画像入力手段と、前記画像データを縮小したサムネイル画像を表示し、サムネイル画像を利用者に選択させるサムネイル表示手段と、所定の選択枚数ごとに、前記サムネイル画像としてクジの画像を選択可能に表示させるクジ表示手段と、選択された前記サムネイル画像に対応する前記画像データを印刷する印刷手段と、前記クジ表示手段により表示された前記クジの画像が選択された場合に、前記クジの当選結果を含むクジ画像データを印刷するクジ印刷手段と、前記クジの画像を表示させる前記選択枚数、および、前記クジの当選確率を設定させるとともに、前記クジ画像データを作成するクジ設定手段を有し、前記サーバは、前記クジ画像データに使用する前記画像データを保持し、前記クジ設定手段により前記クジ画像データを作成する際に、前記ネットワークを介して前記画像データを前記画像出力装置に送るクジ画像データ送信手段を有することを特徴とする画像出力システムである。
第２の発明により、サーバからタイムリーなクジ画像データを画像出力装置に送信し、クジ画像データとして利用者に提供することが可能になる。
【００１４】
第３の発明は、コンピュータを、第１の発明の画像出力装置として機能させるためのプログラムである。
【００１５】
第４の発明は、コンピュータを、第１の発明の画像出力装置として機能させるためのプログラムを記録したコンピュータで読み取り可能な記録媒体である。
【発明の効果】
【００１６】
本発明により、選択枚数に応じてサムネイル表示にクジを組み込む、エンターテインメント性の高い画像出力装置等を提供することが可能になる。
【図面の簡単な説明】
【００１７】
【図１】本発明の実施形態に係る画像出力システム１の構成例を示す図
【図２】画像出力装置１０の外観例を示す斜視図
【図３】画像出力装置１０のハードウエア構成例を示す図
【図４】サーバ２０のハードウエア構成例を示す図
【図５】画像出力装置１０の処理の流れを示すフローチャート
【図６】画像出力装置１０のメディア挿入指示画面例（ａ）およびサムネイル画面例（ｂ）を示す図
【図７】画像出力装置１０のサムネイル画面例を示す図
【図８】クジ画像データの例を示す図
【図９】画像出力装置１０の保守画面の例を示す図
【図１０】画像出力装置１０の保守画面のクジ設定の例を示す図
【発明を実施するための形態】
【００１８】
以下、図面に基づいて本発明の好適な実施形態について説明する。
図１は、本発明の実施形態における画像出力システム１の構成例を示す図である。
画像出力システム１は、１台または複数台の画像出力装置１０と、サーバ２０がネットワークを介して接続された構成である。
【００１９】
画像出力装置１０は、例えば、量販店等の店頭に設置され、利用者が持参した記録媒体に記録された画像データを印刷するセルフサービス方式の自動写真自販機である。
サーバ２０は、例えば、量販店の本社等のセンターに設置されており、例えば、インターネット等のネットワーク３０により画像出力装置１０に接続される。
サーバ２０は、画像出力装置１０のソフトウエア更新や、クジ画像データ等を格納し、ネットワーク３０を介して画像出力装置１０に送信する。
【００２０】
次に、画像出力装置１０の構成を図２および図３に沿って説明する。
図２は、画像出力装置１０の外観例を示す斜視図、図３は、画像出力装置１０のハードウエア構成例を示す図である。
【００２１】
図２に示すように、画像出力装置１０の上部正面には、タッチパネル付きの液晶ディスプレイ等のタッチパネル付きディスプレイ１２が配置されている。タッチパネル付きディスプレイ１２は、操作の案内や操作の状況、読み込んだ画像データのサムネイル画像等を表示するとともに、印刷画像や枚数、画像の編集処理等をタッチパネルにより指定させる。
【００２２】
タッチパネル付きディスプレイ１２の下部には、メディア挿入部１１が設けられる。メディア挿入部１１は、各種メディア（スマートメディア、コンパクトフラッシュ（登録商標）カード（ＣＦカード）、ＣＤ−ＲＯＭ等）の挿入口であり、複数の挿入口が１箇所にまとめて配置されている。
また、画像出力装置１０の筺体内には、上記の各記録媒体の挿入口１１に対応して、それぞれの媒体の読取・書込み装置の本体（図示しない）が設置されている。各挿入口には、料金の徴収が完了するまで記録媒体を取り出せないようにシャッター（図示しない）を備えてもよい。
【００２３】
画像出力装置１０の下段部には、料金投入口（硬貨投入口１５、紙幣挿入口１７）、つり銭返却口１６、レシート取出口１４、プリント物取出口扉１３、メンテナンスキー１９、ドア開閉キー１８等がそれぞれ配置されている。
【００２４】
料金投入口（１５、１７）、つり銭返却口１６、レシート取出口１４は、課金手段として機能する。
利用者は、硬貨投入口１５に硬貨を投入したり、紙幣挿入口１７に紙幣を挿入することにより料金を支払う。つり銭がある場合にはつり銭返却口１６から放出される。
また、料金徴収後、徴収金額や注文内容等が印刷されたレシートが印刷されたレシートがレシート取出口１４から放出される。画像出力装置１０の筺体内には、レシート取出口１４に対応してレシート印刷用プリンタが設けられている。
【００２５】
プリント物取出口扉１３は開閉扉であり、プリント物取出口扉１３を開いた筺体の下部にプリント物取出口（図示しない）が設けられている。プリント物取出口から印刷済みのプリント物が放出される。
通常、画像出力装置１０の筺体内には、複数枚の画像プリントを同時に行えるように複数のプリンタ本体（図示しない）が設置されるが、各プリンタ本体から放出されるプリント物は画像出力装置１０の下部に設けられた１つのプリント物取出口に集められ、利用者がまとめて取りだせるようになっている。
【００２６】
メンテナンスキー１９は、利用者が画像出力装置１０を利用する際の運転モードと、管理者が画像出力装置１０のメンテナンスや設定等を行う管理モードを切り替えるキーである。
ドア開閉キー１８は、画像出力装置１０の下段部全体の扉の開閉キーであり、筺体内部に設けられているプリンタ、課金部、レシート出力部等の各種装置のメンテナンスを行う際に使用される。
【００２７】
また、画像出力装置１０の筺体内には、図示しないが、画像出力装置１０の各構成部分を制御するための制御部を含むパーソナルコンピュータや、電圧の変換を行う電源ボックス、停電時に制御部のＣＰＵやハードディスク等の破損を防ぐ無停電電源装置等が設けられる。
【００２８】
次に、図３を参照しながら、画像出力装置１０のハードウエア構成について説明する。
画像出力装置１０は、制御部１０１、記憶部１０２、入出力部１０３、通信部１０４、各種メディア読取部１０５、シャッター１０６、ディスプレイ（タッチパネル付）１０７、コインメック１０８、ビルバリ１０９、レシートジャーナル処理部１１０、プリンタ１１１等がバス１１２を介して接続される。
【００２９】
制御部１０１は、ＣＰＵ、ＲＡＭ、ＲＯＭ等で構成され、記憶部１０２に格納されたプログラムに従って、バス１１２を介して接続された各装置を駆動制御する。
記憶部１０２には、各構成部分を駆動制御するプログラム、例えば、後述するクジを提供可能な画像出力処理プログラムや、画像処理装置１０の保守プログラム等のプログラムや、画像データ、各種制御データ等が格納されている。
これらのプログラムコードは、制御部１０１により必要に応じてＲＡＭに読み出され、ＣＰＵにより実行される。
【００３０】
入出力部１０３は、ＣＤ−ＲＯＭドライブ装置、キーボード、マウス等であり、制御部１０１や記憶部１０２に格納されているプログラムや制御データの更新や設定等を行う画像出力装置１０のメンテナンス時に用いられる。メンテナンス時には、メンテナンスキー１９により管理モードに切り替え、入出力部１０３にプログラム更新用のＣＤ−ＲＯＭを挿入して、データの書き換えや設定データの入力を行う。
【００３１】
通信部１０４は、ネットワーク３０を介して、サーバ２０と接続・通信するものであり、ネットワーク３０の通信制御処理を実行する。例えば、インターネット通信等が可能である。
【００３２】
各種メディア読取部１０５は、画像入力機能の役割を果たす。シャッター１０６は、各記録媒体挿入口に設けられ、記録媒体の挿入口を開閉し、読取実行中から課金処理完了まで記録媒体を取り出せないようにする。
ディスプレイ（タッチパネル付）１０７には、利用者に対して、操作案内や、サムネイル表示、枚数指定をするための表示、編集用の表示等が表示され、利用者は、タッチパネルに触れることにより、画像選択、枚数、編集処理の指定を行える。
【００３３】
コインメック１０８、ビルバリ１０９、レシートジャーナル処理部１１０は、課金機能の役割を果たす。コインメック１０８は、硬貨投入口１５に対応して画像出力装置１０の筺体内に設けられ、硬貨の入出力を管理する。
また、ビルバリ１０９は、紙幣投入口１７に対応して画像出力装置１０の筺体内に設けられ、紙幣の入出力を管理する。
また、レシートジャーナル処理部１１０は、レシート取出口１４に対応して画像出力装置１０の筺体内に設けられ、レシート印刷を行う。
【００３４】
画像出力装置１０の筺体内に設置されるプリンタ１１１は、例えば、一般的ニーズの高い印刷サイズ（Ｌサイズ）の画像を印刷するためのプリンタ複数台（例えば３台）よりなる。
これにより、利用者が指定した複数枚のＬサイズの画像プリントを３台のプリンタで同時に実行し、全体としての印刷時間を短縮して、利用者の待ち時間を減らすことが可能になる。
【００３５】
図４は、サーバ２０のハードウエア構成例を示す図である。
図３に示すように、サーバ２０は、例えば、ＣＰＵ２０１、メモリ２０２、記憶部２０３、表示部２０４、入力部２０５、出力部２０６、通信部２０７がシステムバス２０８を介して接続されて構成される。
【００３６】
ＣＰＵ（Ｃｅｎｔｒａｌ  Ｐｒｏｃｅｓｓｉｎｇ  Ｕｎｉｔ）２０１は、演算処理（四則演算や比較演算等）や、ハードウエアやソフトウエアの動作制御を行う。
メモリ２０２は、ＲＡＭ及びＲＯＭ等のメモリである。ＲＡＭ（Ｒａｎｄｏｍ  Ａｃｃｅｓｓ  Ｍｅｍｏｒｙ）は、ＲＯＭ（Ｒｅａｄ  Ｏｎｌｙ  Ｍｅｍｏｒｙ）や記憶部２０３から読み出されたＯＳ（Ｏｐｅｒａｔｉｎｇ  Ｓｙｓｔｅｍ）やアプリケーションプログラム等を記憶し、ＣＰＵ２０１の主メモリやワークエリアとして機能する。
【００３７】
記憶部２０３は、各種データを記憶する装置であり、例えば、ハードディスク装置である。記憶部２０３には、ＣＰＵ２０１が実行するプログラム、プログラム実行に必要なデータ、ＯＳ等が格納される。
記憶部２０３には、例えば、画像出力装置１０で提供されるクジの印刷画像データ等が記憶され、必要に応じて、ネットワーク３０を介して画像出力装置１０に送信される。
【００３８】
表示部２０４は、表示装置であり、例えば、ＣＲＴモニタ、液晶パネル等のディスプレイ装置である。表示部２０４は、コンピュータのビデオ機能を実現するための論理回路（ビデオアダプタ等）を有する。
入力部２０５は、各種データの入力装置であり、例えば、キーボードや、マウス等のポインティングデバイス等である。出力部２０６は、各種データの出力装置であり、例えば、プリンタである。各種メディアとのデータ入出力を行うドライブ装置を入力部２０５及び出力部２０６として用いることもできる。
【００３９】
通信部２０７は、ネットワーク３０を介して画像出力装置１０と接続・通信する通信制御装置である。例えば、インターネット通信が可能である。サーバ２０は、この通信部２０７により、ネットワーク３０を介して画像出力装置１０と通信可能に接続される。
システムバス２０８は、各装置間の制御信号、データ信号等の授受を媒介する経路である。
【００４０】
次に、画像出力装置１０の記憶部１０３に格納され、ＣＰＵ１０１により実行される本実施形態に係るクジ機能付きの画像出力処理について説明する。
図５は、本実施形態に係る画像出力処理の流れを示すフローチャートである。
【００４１】
画像出力装置１０の制御部１０１は、まず、利用者に、メディア挿入口１１からメディアを挿入させ、画像データを取得する（ステップＳ３０１）。
図６は、画像出力装置１０のタッチパネル付きディスプレイ１２（１０７）に表示される画面例である。図６（ａ）は、メディア挿入指示画面の例である。
画像出力装置１０のタッチパネル付きディスプレイ１２に、まず、図６（ａ）に示すようなメディア挿入指示画面４００が表示され、利用者は、この表示に従って、画像データが記録されているメディアをメディア挿入口１１に挿入する。
制御部１０１は、挿入されたメディアの種類に対応するメディア読取部１０５を駆動し、メディアに記録されている画像データを読み取り、記憶部１０２に格納する。
【００４２】
次に、制御部１０１は、取得された画像データのサムネイル画像をタッチパネル付きディスプレイ１２に表示する（ステップＳ３０２）。
図６（ｂ）は、サムネイル画面４１０の例である。
利用者が挿入したメディアから取得した画像データのサムネイル画像がタッチパネル付きディスプレイ１２に表示される。
【００４３】
サムネイル画面４１０には、取得された画像データのサムネイル画像と、枚数を指定するための「−」および「＋」表示、プリント枚数、注文枚数と注文合計金額、画像データを編集するための「お絵かき・編集」ボタン等が表示される。
１画面に表示可能なサムネイル数は１０個程度であり、取得された画像データ数がそれ以上の場合には、複数ページに分けてサムネイルが表示され、ページを前後させるためのスライドバーも表示される。
【００４４】
次に、制御部１０１は、利用者に印刷する画像を選択させ、プリント枚数を指定させ、選択された画像の印刷枚数を計数する（ステップＳ３０３）。
利用者は、各サムネイル画像の「＋」または「−」ボタンの部分をタッチすることによりプリント枚数を指定する。
制御部１０１は、利用者が指定したプリント枚数を計数する。
【００４５】
次に、制御部１０１は、利用者による画像選択と枚数指定が終了したか判断する（ステップＳ３０４）。
ここで、利用者が「注文内容確認」ボタンをタッチすると、制御部１０１は、選択終了と判断する。
【００４６】
選択終了でない場合には（ステップＳ３０４のＮｏ）、制御部１０１は、次に、選択枚数が予め設定された定数Ａ以上か否かを判定する（ステップＳ３０５）。
定数Ａは、例えば、Ａ＝２０であり、この値は、画像出力装置１０の管理モード（メンテナンスキー１９により切り替える）で後述する保守画面から設定することが可能である。Ａ＝２０の場合、利用者が印刷する画像を２０枚設定するごとにクジを提供する。
【００４７】
選択枚数が定数Ａより少ない場合（ステップＳ３０５のＮｏ）、ステップＳ３０２に戻る。
一方、選択枚数が定数Ａ以上の場合（ステップＳ３０５のＹｅｓ）、制御部１０１は、サムネイル表示にクジを加えて表示する（ステップＳ３０６）。サムネイル表示に加えるクジの画像は、予め、記憶部１０２に格納しておけばよい。
【００４８】
図７は、サムネイル表示にクジを加えて表示されたディスプレイ画面例４２０である。
図７に示すように、利用者の記録媒体から入力された画像データのサムネイル表示に混在させてクジ引き４２５が表示される。
クジ引き４２５のサムネイル表示には、「選択するとクジ引きに参加できる」こと、「１枚だけ選択できる」ことなどが表示されるが、表示の内容はこれに限ることはない。
【００４９】
クジ４２５の表示位置は、サムネイル表示のどの位置であってもよい。図７に示すように、上段右端の位置に常に表示するようにしてもよいし、ランダムに表示位置を変えるようにしてもよい。
クジ４２５をサムネイル画像４２０に加えて表示した場合には、表示した旨を示すフラグ情報を記憶部１０２に格納しておく。クジ４２５を複数表示した場合には、各クジのフラグ情報を格納する。
【００５０】
制御部１０１は、次に、これまで計数した選択枚数を０にクリアしたうえ（ステップＳ３０７）、ステップＳ３０３に戻り、利用者による画像データの選択処理を継続させる。
クジ４２５が加えて表示されたサムネイル画像４２０から、利用者は更に画像を選択し、枚数を指定するが、このとき、クジ４２５が選択された場合には、クジが選択された旨のフラグ情報を記憶部１０２に格納する。
【００５１】
利用者が、「注文内容確認」ボタンをタッチして、制御部１０１が選択完了と判断すると（ステップＳ３０４のＹｅｓ）、制御部１０１は、課金処理を実行する（ステップＳ３０８）。
すなわち、制御部１０１は、注文内容を利用者に確認させ、印刷枚数と料金を表示し、利用者に料金を支払わせる。利用者が、硬貨投入口１５および/または紙幣挿入口１７から料金を支払うと、制御部１０１は、コインメック１０８、ビルバリ１０９を制御して、つり銭がある場合には、つり銭をつり銭返却口１６に排出し、更に、レシートジャーナル処理部１１０を制御し、レシートを印刷させ、レシート取出口１４に出力する。
【００５２】
ステップＳ３０３で利用者がクジ引き４２５を選択した場合、課金処理において、クジのプリント料金を利用者が選択した他の画像と同様に課金してもよいし、クジの料金は無料にしてもよい。
クジのプリント料金を課金する場合には、まず、クジ４２５が表示されたかを示すフラグ情報を記憶部１０２において参照し、表示されている場合には、当該クジ４２５が選択されたか否かを示すフラグ情報を記憶部１０２において参照し、選択されている場合には、選択されたクジ４２５の料金を追加して課金するようにすればよい。
【００５３】
クジのプリント料金の設定は、後述する管理モードの保守画面で設定することが可能である。クジを課金する場合には、サムネイル画面表示４２０のクジ４２５の表示部分に、課金する旨を表示する。
【００５４】
次に、制御部１０１は、利用者がクジ４２５を選択したか否かを判定する（ステップＳ３０９）。すなわち、まず、クジ４２５が表示されたかを示すフラグ情報を記憶部１０２において参照し、表示されている場合には、当該クジ４２５が選択されたか否かを示すフラグ情報を記憶部１０２において参照し、選択されている場合（ステップＳ３０９のＹｅｓ）には、制御部１０１は、プリンタ１１１で印画するクジ画像データを準備する。
【００５５】
ここで、クジ４２５が当たり/はずれのクジである場合には、制御部１０１は、予め設定した所定の当選確率により、クジの当たり/はずれを決定し、プリンタ１１１で印画するクジ画像データを作成する。
図８は、クジの例を示す図である。
図８（ａ）は、当たりの場合に印刷するクジ画像データの例５００、図８（ｂ）は、当たりの場合に印刷するクーポン券の例５１０である。
【００５６】
図８（ａ）の場合、クジ画像データ５００は、例えば、クジ画像５０１と、当たり/はずれを示す画像５０３、および、説明５０５等で構成される。
クジ画像５０１は、例えば、サーバ２０に蓄積された画像データを、適宜、画像出力装置１０に送り、記憶部１０２に格納しておけばよい。また、画像出力装置１０の管理モードで、入出力部１０３によって、ＣＤ−ＲＯＭ等に格納されたビットマップデータやＪＰＥＧデータを読み込むようにしてもよい。
記憶部１０２に、当たりの場合とはずれの場合のクジ画像データを予め格納しておき、読み出してプリンタ１１１の印画用に読み出すようにしてもよい。
【００５７】
図８（ｂ）の場合、当たりの場合に印刷されるクジ画像データ５１０は割引クーポン券であり、例えば、クジ画像５１１と、割引クーポン券であることを示す画像５１３と、商品名と割引率を示す説明５１５と、使用期限５１７等で構成される。
クジ画像５１１は、図８（ａ）の当たりクジの場合と同様に、サーバ２０から適宜、画像出力装置１０に送り、記憶部１０２に格納しておいてもよいし、画像出力装置１０の入力部１０３によってＣＤ−ＲＯＭ等格納されたビットマップデータやＪＰＥＧデータを読み込むようにしてもよい。
また、商品名等の説明５１５や使用期限５１７は、画像出力装置１０の管理モードの後述する保守画面から設定することができる。
【００５８】
また、例えば、映画等の無料鑑賞券や割引鑑賞券等を当たりの賞品とする場合には、当該映画等に関する画像をクジ画像５０１、５１１としてクジ画像データを作成すればよい。
また、クジ画像５０１、５１１として人気の高い人物のブロマイドやタイムリーな画像を採用することにより、利用者へのエンターテインメント性を高めることができる。
また、これらのクジ画像５０１、５１１を含むクジ画像データを、サーバ２０で作成し、画像出力装置１０に送信して、記憶部１０２に格納しておくようにしてもよい。
【００５９】
ステップＳ３１０においてクジ画像データが準備されると、制御部１０１は、他の選択画像と、クジ画像データをプリンタ１１１に印刷させる（ステップＳ３１１）。
ステップＳ３０９において利用者によりクジが選択されていないと判断された場合には（ステップＳ３０９のＮｏ）、制御部１０１は、ステップＳ３１１において、利用者が選択した画像の印刷をプリンタ１１１に実行させる。
プリンタ１１１により印刷されたクジ画像データのプリント物を含むプリント物は、印刷が終わるとプリント物取出口に排出され、利用者は、プリント物取出口扉１３を開くことにより、プリント物を取りだすことができる。
【００６０】
制御部１０１は、レシートジャーナル処理部１１０を稼働し、レシートを印刷し、レシート取出口１４から出力する（ステップＳ３１２）。
【００６１】
レシートの出力の終了により、利用者の１回の注文について、画像出力装置１０の処理が終了する。
ここで、画像出力装置１０の稼働を終了するか否かを判定し（ステップＳ３１３）、稼働を続ける場合（ステップＳ３１３のＮｏ）には、ステップＳ３０１に戻り、次の利用者の注文を待機する。一方、画像出力装置１０の稼働を終了する場合（ステップ３１３のＹｅｓ）には、画像出力装置１０の処理を終了する。
【００６２】
次に、画像出力装置１０でクジを提供する場合の、クジの設定について説明する。
クジの設定は、画像出力装置１０の保守処理の一環として行う。すなわち、画像出力装置１０が設置してある店舗の従業員や、画像出力装置１０の保守担当者がクジの設定を行う。
【００６３】
クジの設定を行う場合には、画像出力装置１０のメンテナンスキー１９にキーを差し込み、回す。これにより、制御部１０１は、画像出力装置１０の稼働モードを管理モードに切り替え、保守画面をタッチパネル付きディスプレイ１２に表示する。
【００６４】
図９は、保守画面の例である。
図９（ａ）は、保守メインメニューの画面例６００である。
保守画面（１）６００には、価格設定、環境設定、ハード保守・ログ参照、付け胃情報、パスワード設定、システム更新等のメニューが設けられており、それぞれの保守を選択するためのボタン６０２〜６０７が設けられている。その他、保守を終了するためのボタン６０１も表示される。
ボタン６０２〜６０７のいずれかをタッチすることにより、それぞれの保守処理が実行される。
【００６５】
価格設定６０２は、プリント料金の価格設定等を行う。環境設定６０３は、クジの設定を含む画像処理装置１０の動作環境設定を行う。ハード保守・ログ参照６０４は、各種ハードウエアのチェックや、顧客ログ、障害ログ等の参照や保存等の処理を行う。統計情報６０５は、ログ情報等の統計情報の算出や出力を行う。パスワード設定６０６は、保守者のパスワードの設定処理を行う。システム更新６０７は、画像出力装置１０のソフトウエアを更新する。
保守処理を終える場合には、保守者は、保守終了ボタン６０１をタッチすればよい。
【００６６】
クジの設定を行う場合には、保守者は環境設定ボタン６０３をタッチすればよい。
このボタン６０３が選択されると、制御部１０１は、タッチパネル付きディスプレイ１２に、図９（ｂ）に示すような環境設定メニュー６１０を表示する（保守画面２）。
環境設定メニューには、例えば、システム設定、メニュー設定、プリント設定、クジ設定等があり、それぞれを選択するためのボタン６１２〜６１５が設けられている。また、「戻る」のボタン６１１をタッチすることにより、保守メインメニュー画面６００に戻ることができる。
【００６７】
クジの設定を行う場合には、クジ設定のボタン６１５をタッチすればよい。
このボタン６１５が選択されると、制御部１０１は、タッチパネル付きディスプレイ１２に、図１０（ａ）および図１０（ｂ）に示すようなクジ設定のための保守画面（３、４）６２０、６４０を表示する。
【００６８】
図１０（ａ）は、クジ設定メニュー（保守画面３）６２０の例を示す図である。
クジ設定メニュー６２０では、クジのＯＮ/ＯＦＦ６２２、クジを提供する選択枚数６２３、クジの方法６２４、クジの料金６２５、クジの種類６２６、賞品６２７等の設定を行う。
【００６９】
クジのＯＮ/ＯＦＦ６２２は、画像出力装置１０でクジを提供するか否かを設定する。ＯＮを選択すると、画像処理装置１０の制御部１０１は、クジの処理（ステップＳ３０５〜Ｓ３０７、ステップＳ３０９〜Ｓ３１０等の処理）を実行し、ＯＦＦを選択すると、制御部１０１は、クジの処理をスキップする。
【００７０】
クジを提供する選択枚数６２３では、前述のクジを発行する選択枚数の定数Ａを設定する。Ａ＝２０枚とすると、利用者が印刷する画像を２０枚選択するごとにクジをサムネイル画像に表示する。設定された定数Ａの値は記憶部１０２に格納される。
【００７１】
クジの方法６２４は、システムがクジを引くか、お客にクジを引かせるかを設定する。
システムがクジを引く設定にした場合には、制御部１０１は、図５の画像処理装置１０の処理の流れに沿って、ステップＳ３１０でクジの当選確率により、クジの当たり/はずれを決定する。
一方、お客にクジを引かせる場合には、制御部１０１は、ステップＳ３１０において、クジを引くための画面をタッチパネル付きディスプレイ１２に表示させ、利用者にクジを引かせるようにすればよい。
【００７２】
クジの料金６２５は、クジの料金を設定する。
ここで設定されたクジの料金は、記憶部１０２に格納され、制御部１０１は、ステップＳ３０８の課金処理で呼び出して使用する。０円と設定すれば、クジの料金は無料になる。
【００７３】
クジの種類６２６は、クジの種類を設定する。
例えば、当たり/はずれのクジか、１〜４等のような等数のクジにするか設定する。また、当選確率もここで設定する。
クジの種類は、この２種類にかぎることはなく、その他種々のクジの方法を設定できるようにしてもよい。
【００７４】
クジの賞品６２７は、クジの賞品を設定する。
クジの賞品は、例えば、賞品の引き換え券、クーポン券、プリント料金の割引等であり、保守者が、該当するものをタッチしてチェックすることにより賞品が選択される。また、保守者が詳細設定ボタン６２８〜６３０をタッチすると、制御部１０１は、該当する賞品の詳細を設定する画面をタッチパネル付きディスプレイ１２に表示する。
【００７５】
賞品の引き換え券にする場合は、クジ画像データに、図８（ａ）に示すように、クジ５００をレジに持っていくと賞品に交換してもらえることを説明５０５に示すようにする。詳細設定ボタン６２８をタッチすることにより、制御部１０１は、説明５０５等の設定を行う画面を表示する。
【００７６】
クジの賞品をクーポン券にする場合には、クジ画像データに、図８（ｂ）に示すように、クーポン券の対象商品名や割引率５１５、使用期限５１７が示される。
例えば、詳細設定ボタン６２９をタッチすることにより、制御部１０１は、図１０（ｂ）に示すようなクーポン券設定メニュー（保守画面４）をタッチパネル付きディスプレイ１２に表示する。
【００７７】
クーポン券設定メニューは、クーポン商品名６４２、割引額６４３、クーポン期限６４４、クーポン券５１０のクジ画像５１１の画像データ６４５等を設定する。このほか、クジ設定メニュー６２０に戻るための「戻る」ボタン６４１、クーポン券設定を完了するボタン６４６等を備える。
クーポン商品名６４２の欄に商品名を書き込むか、選択可能に表示される。
クーポン割引６４３は、割引率または割引額を選択して、どちらかの欄に数値を書き込むようにする。
クーポン期限６４４は、クーポンの使用期限を選択または書き込むようにする。
クジ画像６４５は、記憶部１０２に格納されている画像データ６４５のなかからクジ画像５１１として使用するものを選択可能にする。
【００７８】
クーポン券設定メニュー６４０で設定されたクーポン商品名６４２、クーポン割引６４３、クーポン期限６４４、クジ画像６４５は、記憶部１０２に格納され、クーポン画像データを設定する際（ステップＳ３１０）に読み出すことにより、プリント画像が作成される。
【００７９】
クジの設定メニュー（保守画面３）６２０のクジの賞品６２７でプリント料金割引が選択された場合には、詳細設定ボタン６３０によりタッチパネル付きディスプレイ１２に表示された詳細設定画面において、料金割引額を設定し、記憶部１０２に格納する。
料金割引の場合、サムネイル画像４２０に表示された表示されたクジ４２５が利用者により選択されると、課金処理（ステップＳ３０８）において、クジの当たり/はずれを当選確率に従って決定し、当たりの場合に、記憶部１０２に格納された料金割引額を差し引いて課金する。
【００８０】
以上のように、本実施形態の画像出力装置１０は、利用者が印刷する画像を所定の枚数選択した場合に、サムネイル画像にクジを表示し、利用者がクジを選択した場合には、当たり/はずれにより、賞品引き換え券やクーポン券等の画像を、他の画像と同様に印刷し、利用者に提供することが可能である。これにより、画像出力装置１０のエンターテインメント性が向上し、利用者の増加を見込むことが可能になる。
【００８１】
以上、添付図面を参照しながら本発明にかかる画像出力装置１０等の好適な実施形態について説明したが、本発明はかかる例に限定されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００８２】
１………画像出力システム
１０………画像出力装置
２０………サーバ
３０………ネットワーク
【図１】
0005790017.tif 000002
【図２】
0005790017.tif 000003
【図３】
0005790017.tif 000004
【図４】
0005790017.tif 000005
【図５】
0005790017.tif 000006
【図６】
0005790017.tif 000007
【図７】
0005790017.tif 000008
【図８】
0005790017.tif 000009
【図９】
0005790017.tif 000010
【図１０】
0005790017.tif 000011